(57)【要約】【課題】  消磁動作を行うデガウスコイルを有する表示装置において、デガウスコイルが正常に装着され、実際に正常な磁束にて消磁効果が得られているか否かを検出し、検出結果を表示することができるデガウスコイルの動作検出機能を有する表示装置の提供。【解決手段】  デガウスコイル１１が発生する磁束を検出するための磁気検出素子であるコイル１２を備え、デガウスコイル１１が正常動作をしているか否かを判断する判別手段であるマイコン１５及び当該判断結果に応じた表示をさせる表示手段であるクロマＩＣ１６によって、デガウスコイル１１の消磁動作が正常な磁束によって行われたか否かを表示させる。【選択図】      図１
2005210195.tif 000002
【特許請求の範囲】
【請求項１】
陰極線管を有し、且つ、消磁動作を行うデガウスコイルを有する表示装置において、前記デガウスコイルが発生する磁束を検出するための磁気検出素子を備えたことを特徴とするデガウスコイルの動作検出機能を有する表示装置。
【請求項２】
請求項１記載のデガウスコイルの動作検出機能を有する表示装置であって、前記磁気検出素子としてコイルを用いたことを特徴とするデガウスコイルの動作検出機能を有する表示装置。
【請求項３】
請求項１又は請求項２記載のデガウスコイルの動作検出機能を有する表示装置であって、前記デガウスコイルが正常動作をしているか否かを判断する判別手段と、当該判断結果に応じた表示をさせる表示手段とを有することを特徴とするデガウスコイルの動作検出機能を有する表示装置。
【請求項４】
請求項３記載のデガウスコイルの動作検出機能を有する表示装置であって、前記判別手段によって得られた前記デガウスコイルが正常動作をしているか否かの判断結果を記憶する記憶手段を備えたことを特徴とするデガウスコイルの動作検出機能を有する表示装置。
【請求項５】
請求項１乃至請求項４の何れか１つに記載のデガウスコイルの動作検出機能を有する表示装置であって、前記デガウスコイルとの距離が１０ｃｍ以下となるように前記磁気検出素子を配置したことを特徴とするデガウスコイルの動作検出機能を有する表示装置。
【発明の詳細な説明】
【技術分野】
【０００１】
本発明は、陰極線管を有し、且つ、消磁動作を行うデガウスコイルを有する表示装置であって、デガウスコイルの動作検出機能を有する表示装置に関するものである。
【背景技術】
【０００２】
陰極線管を用いた表示装置においては、電子銃から放出された電子ビームを走査して蛍光面上に画像を描くため、電子ビームに意図されない磁界が加わると、表示画像の品質が悪化（色むらなど）するという弊害が生じる。意図されない磁界とは、地磁気によるものや、表示装置内部の磁性体が着磁することにより発生する磁界などである。
【０００３】
このような弊害を防止・除去するために、陰極線管を用いた表示装置においては、陰極線管の周囲に消磁のためのデガウスコイルを設け、デガウスコイルに一定時間で収束する交流電流を流すなどして、着磁した磁性体を消磁させている。
【０００４】
上記したごとく、一般に、陰極線管を用いた表示装置には、デガウスコイルが設けられ、地磁気などの影響による表示画面の画質の劣化を防止するようにしているため、デガウスコイルの装着忘れ或いは装着不良、その他何らかの不具合により、デガウスコイルによって消磁動作が行われない場合には、表示画面の色変化などの品質劣化が生じる恐れがある。従ってデガウスコイルの消磁動作の有無の確認などを行うことが好ましく、このようなものに関する従来技術が特許文献１によって開示されている。また、特許文献２においては、デガウスコイルの装着の有無を確認することができる表示装置に関するものが開示されている。
【０００５】
特許文献１によって開示される従来技術は、デガウスコイルが消磁動作を行っている一定時間の間、表示画面の全画面を単一色で表示させることにより、その色合いの変化によって消磁動作の状況を確認することができるようにするものである。
【０００６】
特許文献２によって開示される従来技術は、デガウスコイルを接続するコネクタの端子間の電圧を検出することで、デガウスコイルの装着の有無を確認することができるようにするものである。すなわち、デガウスコイルが装着されていない場合は、コネクタの端子間は開放状態となるが、デガウスコイルが装着されている場合にはデガウスコイル自体の抵抗値が小さいことにより短絡に近い状態であるため、デガウスコイルの装着の有無を確認することができるものである。
【０００７】
【特許文献１】特開平５−１３０６２７号公報
【特許文献２】実用新案登録第３０６６１５５号公報
【発明の開示】
【発明が解決しようとする課題】
【０００８】
特許文献１によって開示される従来技術では、全画面を単一色で表示させた表示画面の色合いの変化によって、デガウスコイルの消磁動作の状況を確認することができるように、するものであるが、色合いの変化が小さい場合には、消磁動作が行われているか否かの判断が難しい。従って、例えば、工場において表示装置のデガウスコイルの装着の有無若しくは消磁動作の有無の確認のために利用するには不向きであった。
【０００９】
一方、特許文献２によって開示される従来技術では、上記したような判断の困難さは伴わないが、デガウスコイルを接続するコネクタの端子間の電圧を検出しているのみであり、必ずしもデガウスコイルが消磁のための正常な磁束を発生しているか否かを確認できるとは限らない。また、何らかの不具合によりコネクタの端子間が短絡されてしまっているような場合には、デガウスコイルの装着・動作の有無に関わらず、「デガウスOK」の旨の表示をしてしまう問題があった。
【００１０】
本発明は、上記した問題点に鑑みて、消磁動作を行うデガウスコイルを有する表示装置において、デガウスコイルが正常に装着され、正常な磁束にて消磁効果が得られているか否かを検出し、検出結果を表示することができるデガウスコイルの動作検出機能を有する表示装置を提供することを目的とする。
【課題を解決するための手段】
【００１１】
請求項１のデガウスコイルの動作検出機能を有する表示装置は、陰極線管を有し、且つ、消磁動作を行うデガウスコイルを有する表示装置において、前記デガウスコイルが発生する磁束を検出するための磁気検出素子を備えたことを特徴とする。
【００１２】
上記構成によれば、デガウスコイルが消磁動作を行う際に発生する磁束若しくはその一部を、磁気検出素子によって検出することができる。
【００１３】
請求項２のデガウスコイルの動作検出機能を有する表示装置は、請求項１記載のデガウスコイルの動作検出機能を有する表示装置であって、前記磁気検出素子としてコイルを用いたことを特徴とする。
【００１４】
上記構成によれば、デガウスコイルが消磁動作を行う際に発生する磁束若しくはその一部によって、磁気検出素子であるコイルの端子間に起電力が誘起される。
【００１５】
請求項３のデガウスコイルの動作検出機能を有する表示装置は、請求項１又は請求項２記載のデガウスコイルの動作検出機能を有する表示装置であって、前記デガウスコイルが正常動作をしているか否かを判断する判別手段と、当該判断結果に応じた表示をさせる表示手段とを有することを特徴とする。
【００１６】
上記構成によれば、デガウスコイルの磁束を磁気検出素子が検出し、その検出結果によって判別手段がデガウスコイルの正常動作の有無を判別し、当該判別結果であるデガウスコイルの正常動作の有無が表示手段によって表示される。
【００１７】
請求項４のデガウスコイルの動作検出機能を有する表示装置は、請求項３記載のデガウスコイルの動作検出機能を有する表示装置であって、前記判別手段によって得られた前記デガウスコイルが正常動作をしているか否かの判断結果を記憶する記憶手段を備えたことを特徴とする。
【００１８】
上記構成によれば、判別手段によって得られたデガウスコイルが正常動作をしているか否かの判断結果を、記憶手段によって保持することができる。
【００１９】
請求項５のデガウスコイルの動作検出機能を有する表示装置は、請求項１乃至請求項４の何れか１つに記載のデガウスコイルの動作検出機能を有する表示装置であって、前記デガウスコイルとの距離が１０ｃｍ以下となるように前記磁気検出素子を配置したことを特徴とする。
【００２０】
上記構成によれば、デガウスコイルが消磁動作を行う際に発生する磁束若しくはその一部を、磁気検出素子によって適正に検出することができる。
【発明の効果】
【００２１】
本発明の請求項１の、陰極線管を有し、且つ、消磁動作を行うデガウスコイルを有する表示装置において、前記デガウスコイルが発生する磁束を検出するための磁気検出素子を備えたことを特徴とするデガウスコイルの動作検出機能を有する表示装置によれば、磁気検出素子によってデガウスコイルが発生する磁束を検出しているため、デガウスコイルが正常に装着され、実際に正常な磁束にて消磁効果が得られているか否かを、精度よく検出することができる。
【００２２】
本発明の請求項２の、請求項１記載のデガウスコイルの動作検出機能を有する表示装置であって、前記磁気検出素子としてコイルを用いたことを特徴とするデガウスコイルの動作検出機能を有する表示装置によれば、前記磁気検出素子としてコイルを用いることにより、簡単な構成で当該デガウスコイルの動作検出機能を有する表示装置を実現化することができ、当該デガウスコイルの動作検出機能を有する表示装置の製造コストを安価にすることができる。
【００２３】
本発明の請求項３の、請求項１又は請求項２記載のデガウスコイルの動作検出機能を有する表示装置であって、前記デガウスコイルが正常動作をしているか否かを判断する判別手段と、当該判断結果に応じた表示をさせる表示手段とを有することを特徴とするデガウスコイルの動作検出機能を有する表示装置によれば、磁気検出素子がデガウスコイルの発生する磁束を検出し、当該検出結果から、判別手段によって、デガウスコイルが正常動作をしているか否かが判断され、当該判断結果が表示手段によって表示されるため、デガウスコイルが正常に装着され、実際に正常な磁束にて消磁効果が得られているか否かを、表示手段によって視覚的に確認することができる。
【００２４】
本発明の請求項４の、請求項３記載のデガウスコイルの動作検出機能を有する表示装置であって、前記判別手段によって得られた前記デガウスコイルが正常動作をしているか否かの判断結果を記憶する記憶手段を備えたことを特徴とするデガウスコイルの動作検出機能を有する表示装置によれば、判別手段によって得られたデガウスコイルが正常動作をしているか否かの判断結果を、記憶手段によって保持することができるため、例えば、当該デガウスコイルの動作検出機能を有する表示装置に備えられた所定の操作スイッチの入力を契機として前記記憶している判断結果を表示させること等が可能となり、任意若しくは所定のタイミングで、デガウスコイルが正常に装着され実際に正常な磁束にて消磁効果が得られているか否かを、確認することができる。
【００２５】
本発明の請求項５の、請求項１乃至請求項４の何れか１つに記載のデガウスコイルの動作検出機能を有する表示装置であって、前記デガウスコイルとの距離が１０ｃｍ以下となるように前記磁気検出素子を配置したことを特徴とするデガウスコイルの動作検出機能を有する表示装置によれば、デガウスコイルが発生する磁束を適正に検出できるため、デガウスコイルが正常に装着され、実際に正常な磁束にて消磁効果が得られているか否かを、精度よく検出することができる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例のデガウスコイルの動作検出機能を有する表示装置の、本発明に係る部分のみの概略を示すブロック図であり、図２は整流・平滑回路１３及び増幅回路１４の具体例の一つを示す回路図であり、図３はデガウスコイル１１と磁気検出素子であるコイル１２との位置関係の概略を示す表示装置内部の後方斜視図、図４は、デガウスコイルが正常動作をしているか否かを判断する判別手段であるマイコンの、当該判別動作の概略を示すフローチャートである。
【００２８】
本実施例のデガウスコイルの動作検出機能を有する表示装置は、図１に示されるように、陰極線管１７・デガウスコイル１１・磁気検出素子たるコイル１２・整流平滑回路１３・増幅回路１４・デガウスコイル１１が正常動作をしているか否かを判断する判別手段であるマイコン１５及びマイコン１５の判断結果に応じた表示を前記陰極線管１７にさせるクロマＩＣ１６を備える。
【００２９】
コイル１２は、デガウスコイル１１が発生する磁束を適正に検出できる位置及び方向で設置される。具体例としては、図３に示されるように、デガウスコイル１１が発生する磁束がコイル１２内を直角或いは直角に近い角度で貫く（磁束がコイル１２のループが作る平面と直交する）様な方向で、且つ、デガウスコイル１１とコイル１２の距離が１ｃｍ以上１０ｃｍ以内となるような位置で、表示装置内に備えられる基板３０上に設置される。１０ｃｍ以内とはデガウスコイル１１が発生する磁束を適正に検出できる範囲の具体例であり、１ｃｍ以上とはデガウスコイル１１とコイル１２の接触を防止する趣旨である。本実施例においては上記したような位置・方向がコイル１２の設置に好適であるが、本発明をこの範囲に限定するものではなく、本発明が適用される表示装置に応じて適宜変更されるものである。
【００３０】
デガウスコイル動作検出機能の概略を説明する。デガウスコイル１１が消磁動作を行うことにより磁束が発生し、この磁束がコイル１２と鎖交することで、コイル１２には当該磁束に応じた起電力が生じる。コイル１２に生じた起電力は、整流・平滑回路１３及び増幅回路１４を経ることによってマイコン１５への入力値としての適正電圧とされて、マイコン１５に端子１５ａから入力される。マイコン１５では当該端子１５ａの入力値等によって、デガウスコイル１１が正常な磁束にて消磁動作をしているか否かを判断し、結果をクロマＩＣによって陰極線管１７にＯＳＤ表示させる。
【００３１】
次に、整流・平滑回路１３及び増幅回路１４の動作の概略を、図２を参照しつつ説明する。端子２５はコイル１２の端子１２ａに接続され、端子２７はマイコンの入力端子１５ａに接続される。端子２６には５Ｖの基準電圧が印加される。このような構成により、コイル１２で生じた起電力は、キャパシタンス２１でノイズ成分をカットされてオペアンプ２２に入力される。オペアンプ２２では、端子２６の基準電圧（５Ｖ）を基準値として、この基準値（５Ｖ）を基準に前記キャパシタンス２１を介して入力された電圧と対比し、適切な電圧を出力する。当該出力された電圧は、抵抗２３ａ及び２３ｂによってマイコン１５への入力値としての適正電圧に分圧される。図５の表ａ〜ｃは、コイル１２に生じる起電力が１Ｖ・５Ｖ・１０Ｖの場合の各回路素子における電圧の具体例を示している。本実施例においては、コイル１２に生じる起電力が１Ｖ以上１０Ｖ以下の場合にデガウスコイル１１の消磁動作が正常であるとするため、マイコン１５では、端子１５ａの入力電圧が２．５Ｖ以上５Ｖ以下の場合に、デガウスコイル１１の消磁動作が正常に行われたと判断する。
【００３２】
マイコン１５における、デガウスコイル１１が正常な磁束にて消磁動作をしているか否かの判断は、端子１５ａの入力電圧値と時間タイミングから判断される。時間タイミングとは、デガウスコイル１１の消磁動作は常時行われるものではなく一時的に行われるものであるので、当該動作時のみに端子１５ａの入力電圧値を読み取り・判断させるものである。このようにすることにより、デガウスコイル１１が発生した磁束ではない磁束を誤って検出し、誤作動を起こしてしまう危険性を最小限に抑えることができる。
【００３３】
本実施例におけるデガウスコイルの動作検出機能を有する表示装置では、電源オン時の数１００ミリ秒程度の間に消磁動作が行われる。従って、本実施例におけるマイコン１５の動作は図４に示すように、電源オンがあったか否かの判断をステップ４１で行い、電源オンから１秒以内（ステップ４２）に端子１５ａの入力電圧値が所定範囲内（本実施例では２．５Ｖ以上５Ｖ以下）であった場合には、「デガウスＯＫ」の旨の表示をさせ（ステップ４４・４５）、電源オンから１秒以内（ステップ４２）に所定範囲内の電圧入力がなかった場合には、「デガウスＮＧ」の旨の表示をさせている（ステップ４６）。本実施例では上記したごとく、電源オン時の数１００ミリ秒程度の間に消磁動作が行われるため、端子１５ａの入力電圧値の読み取りを電源オンから１秒間とする（ステップ４２）ことが有効であり、そのような構成としているが、本発明はこれに限られるものではなく、常時入力電圧値の読み取りをするものであってもよいし、電源オフ時に消磁動作をさせるような表示装置や、所定の操作により消磁動作を行う表示装置においては、それぞれの時間タイミングで１５ａの入力電圧値を読み取るようにさせることが有効である。
【００３４】
以上のごとく、本実施例のデガウスコイルの動作検出機能を有する表示装置によれば、デガウスコイル１１の発生する磁束を磁気検出素子たるコイル１２によって検出させるため、実際に適正な磁束により消磁効果が得られているか否かを、画面表示によって確認することができる。従って、例えば、工場における製品の動作テストなどにおいても、本実施例のデガウスコイルの動作検出機能を有する表示装置によれば、デガウスコイルの装着の有無はもとより、消磁動作が適正な磁束により行われているか否かを確認することができるため、好適である。なお、本実施例では、消磁動作の有無を陰極線管１７にＯＳＤ表示させるものとしてあるが、他の表示手段（例えばＬＥＤなど）により表示させるものであってもよい。
【実施例２】
【００３５】
図６は本実施例のデガウスコイルの動作検出機能を有する表示装置の斜視図であり、図７は本実施例のデガウスコイルの動作検出機能を有する表示装置の本発明に係る部分のみの概略を示すブロック図であり、図８はマイコン１５のデガウスコイルが正常動作をしているか否の判別動作の概略を示すフローチャートである。
【００３６】
本実施例のデガウスコイルの動作検出機能を有する表示装置は、図７に示されるように、デガウスコイル１１が正常動作をしているか否かの判断結果を記憶する記憶手段である記憶装置７０を備える。なお、実施例１と同様の構成要素には実施例1と同じ符号を使用し、ここでの説明を省略する。
【００３７】
本実施例のデガウスコイルの動作検出機能を有する表示装置によれば、記憶装置７０を備えることにより、マイコン１５におけるデガウスコイル１１の消磁動作の有無の判断結果を記憶しておくことができる。
【００３８】
以下、マイコン１５の動作の概略を図８を参照しながら説明する。なお、実施例１と同様のものには実施例1と同じ符号を使用し、ここでの説明を省略する。マイコン１５はデガウスコイル１１の消磁動作の有無の判断結果を得た場合には、記憶装置７０に当該判断結果を記録する（ステップ８１・ステップ８２）。ステップ８３においてデガウス動作確認指示を待ち、当該指示があった場合には記憶装置７０の内容を読み出し（ステップ８４）、当該内容を表示させる（ステップ８５）。デガウス動作確認指示とは、操作スイッチ部６０の所定の入力動作や、図示しないリモコン装置の所定の入力動作、又は、図示しない工場内で使用する治具装置等からの信号などである。
【００３９】
本実施例のデガウスコイルの動作検出機能を有する表示装置によれば、デガウスコイル１１が実際に適正な磁束により消磁動作を行っているか否かの判断結果を、記憶装置７０に記憶しておくことができるため、任意若しくは所定のタイミングで消磁動作の適否を画面表示等によって確認することができる。
【図面の簡単な説明】
【００４０】
【図１】実施例１のデガウスコイルの動作検出機能を有する表示装置の本発明に係る部分のみの概略を示すブロック図
【図２】整流・平滑回路１３及び増幅回路１４の具体例を示す回路図
【図３】デガウスコイル１１とコイル１２との位置関係の概略を示す表示装置内部の後方斜視図
【図４】実施例１の消磁動作適否の判別及び表示動作の概略を示すフローチャート
【図５】コイル１２に生じる起電力に応じた各回路素子における電圧の具体例を示す表であり、コイル１２の起電力が、ａは１Ｖの場合、ｂは５Ｖの場合、ｃは１０Ｖの場合をそれぞれ示す
【図６】実施例２のデガウスコイルの動作検出機能を有する表示装置の斜視図
【図７】実施例２のデガウスコイルの動作検出機能を有する表示装置の本発明に係る部分のみの概略を示すブロック図
【図８】実施例２の消磁動作適否の判別及び表示動作の概略を示すフローチャート
【符号の説明】
【００４１】
１１    デガウスコイル
１２    コイル
１６    クロマＩＣ（表示手段）
１７    陰極線管
３０    基板
６０    操作スイッチ部
【図１】
2005210195.tif 000003
【図２】
2005210195.tif 000004
【図３】
2005210195.tif 000005
【図４】
2005210195.tif 000006
【図５】
2005210195.tif 000007
【図６】
2005210195.tif 000008
【図７】
2005210195.tif 000009
【図８】
2005210195.tif 000010